(57)【要約】【課題】屋外や室内の空間に対する冷房能力を向上することができる冷房装置を提供する。【解決手段】フレーム１１に対し回動可能に支持した駆動軸１２に、水を保持可能なスクリーン１８を巻回可能に支持させる。そして、駆動軸１２と、その上方に支持した従動軸１３とを無端ベルト１７により連結するとともに、スクリーン１８の外周側端辺を接続した支持バー１９を無端ベルト１７に繋げる。そして、池や水路の水中に駆動軸１２を沈めた状態で駆動軸１２を回動させ、スクリーン１８を駆動軸１２に巻き付けて水中に浸すことにより、スクリーン１８の全面に水を供給する。この状態のスクリーン１８を駆動軸１２から巻き出して起立状態で支持する。【選択図】図１
2010065853.tif 000002
【特許請求の範囲】
【請求項１】
水を保持可能なスクリーンと、
前記スクリーンを展開状態で支持可能な支持手段と、
前記スクリーンを水の供給を受ける受給状態と前記展開状態とに動作させる動作手段とを備えたことを特徴とする冷房装置。
【請求項２】
前記支持手段は、
前記スクリーンを巻回可能に支持する巻軸と、
前記巻軸を回動可能に支持する支持部材と、
前記スクリーンを展開状態で支持するために前記支持部材に設けられた展開手段とからなり、
前記動作手段は、前記巻軸を回動させるために支持部材に設けられた駆動手段であることを特徴とする請求項１に記載の冷房装置。
【請求項３】
前記受給状態のスクリーンに水を供給する水供給手段を備えたことを特徴とする請求項１または２に記載の冷房装置。
【発明の詳細な説明】
【技術分野】
【０００１】
この発明は、屋外や室内に設置したスクリーンに水を保持させ、この水の気化熱により屋外や室内の空間を冷房する冷房装置に関するものである。
【背景技術】
【０００２】
従来、屋外の空間を冷房するための技術としては、例えば、水を微細な霧状にして空中に噴霧するミスト散布や、多孔質の舗装ブロック、多孔質の舗装ブロック、その下の砂層、路盤等に保持させた水を舗装ブロック材料の毛細管作用によりその表面にしみ出させて打ち水効果を得る舗装路が知られている。しかし、ミスト散布は、風の影響を受けやすく、風によってミストが拡散して冷房効果が著しく低下する。また、打ち水効果を狙った舗装路において、舗装ブロックの表面にしみ出した水は、その気化熱により、もっぱら熱容量の大きな舗装ブロックの温度を低減させるだけである。従って、前記の両者とも屋外の空間を効果的に冷房することはできなかった。
【０００３】
これに対し、例えば特許文献１に記載された冷房用のカーテンは、屋外に吊り下げたカーテンの上部に水タンクから水を供給されることにより、カーテン全体が湿らせられるようにしたものである。このような構成により、カーテン全体から水を蒸発させ、その気化熱による周囲空気の冷房が図られている。
【０００４】
また、特許文献２に記載された網状遮蔽体は、ブラインドやシャッターとして用いられる網状遮蔽体の上部に水タンクから水を供給することにより、その全体を湿らせるようにしたものである。これも特許文献１と同様に、網状遮蔽体の全体から水を蒸発させ、その気化熱により周囲空気の冷房が図られている。
【特許文献１】登録実用新案第３０３４８２０号
【特許文献２】特開２００８−２５１４２号公報
【発明の開示】
【発明が解決しようとする課題】
【０００５】
しかしながら、上記両特許文献に記載の構成は、拡げた状態のカーテンや網状遮蔽体の上部から水を供給することによりカーテンや網状遮蔽体の全面を湿らせる構成であるため、広い面積のカーテンや網状遮蔽体の全面を適切に湿らせた状態に維持することは難しい。なぜなら、暑い時期にカーテン等の表面から活発に水が気化しているときには、カーテン等に保持される水が不足する状態になりやすい。このような状況で、カーテン等の上部から水を供給した場合は、カーテン下部の水の量が少なくなる。従って、カーテン下部からの水の気化量が減少する。この結果、上記両特許文献の構成ではカーテンや網状遮蔽体の全面から効率良く水を気化させることができないため、カーテンや網状遮蔽体の全体としての冷房能力を上げることが困難であった。
【０００６】
この発明は、このような従来の技術に存在する問題点に着目してなされたものである。その目的とするところは、屋外や室内の空間に対する冷房能力を向上することができる冷房装置を提供することにある。
【課題を解決するための手段】
【０００７】
上記の目的を達成するために、請求項１に記載の発明は、水を保持可能なスクリーンと、前記スクリーンを展開状態で支持可能な支持手段と、前記スクリーンを水の供給を受ける受給状態と前記展開状態とに動作させる動作手段とを備えたことを特徴とする。
【０００８】
請求項２に記載の発明は、前記支持手段は、前記スクリーンを巻回可能に支持する巻軸と、前記巻軸を回動可能に支持する支持部材と、前記スクリーンを展開状態で支持するために前記支持部材に設けられた展開手段とからなり、前記動作手段は、前記巻軸を回動させるために支持部材に設けられた駆動手段であることを特徴とする。
【０００９】
請求項３に記載の発明は、前記受給状態のスクリーンに水を供給する水供給手段を備えたことを特徴とする。
（作用）
この発明によれば、動作手段により支持手段を動作させると、支持手段に支持されたスクリーンが展開状態または水の受給状態となる。受給状態のスクリーンに対して水を供給すると、スクリーンの全面に水が供給される。この状態のスクリーンが支持手段により展開状態で支持されると、スクリーンに接触する空気により水が気化して空気から気化熱を奪う。従って、広い面積のスクリーンであってもその全面に水を適切に保持させることが可能となるため、スクリーンの全面から効率良く水を気化させて空気から有効に気化熱を奪うことが可能となる。
【発明の効果】
【００１０】
この発明によれば、屋外や室内の空間に対する冷房能力を向上することができる。
【発明を実施するための最良の形態】
【００１１】
（第１実施形態）
次に、この発明を具体化した第１実施形態について、図１〜図３を用いて説明する。
図１に示すように、冷房装置１０は、全体がほぼ「コ」字形状に形成されるとともに上方に開口するように配置された支持部材としてのフレーム１１を備え、このフレーム１１の両側部１１ａ間には、回動駆動される巻軸としての駆動軸１２と、回動自在な従動軸１３とが支持されている。駆動軸１２は、フレーム１１の基部１１ｂ近くに、従動軸１３は、両側部１１ａの先端部間においてそれぞれ水平方向に延びるように配置されている。
【００１２】
図２に示すように、フレーム１１の内部には、駆動軸１２を回動駆動するための動作手段及び駆動手段としての電動モータ１４が内蔵され、その出力軸１４ａは駆動軸１２に連結されている。駆動軸１２の両端には、この駆動軸１２と一体回動する駆動側プーリ１５が設けられ、従動軸１３の両端には、この従動軸１３と一体回動する従動側プーリ１６が設けられている。そして、駆動側プーリ１５と従動側プーリ１６との間には、両プーリ１５，１６を一体回動させる無端ベルト１７が掛装されている。従って、電動モータ１４により駆動軸１２が回動駆動されると、両無端ベルト１７及び両プーリ１５，１６を介して従動軸１３が回動する。なお、フレーム１１の内部は、水密構造となっている。
【００１３】
図１及び図２に示すように、駆動軸１２には、スクリーン１８の端辺が固定されて巻回状態で支持されている。スクリーン１８の巻き出し側の端辺は、両端が左右の無端ベルト１７に両端が固定された支持バー１９に接合されている。従って、図３（ａ）に示すように、スクリーン１８は、駆動軸１２の回動に伴う無端ベルト１７を介した支持バー１９の上動により駆動軸１２から巻き出され、起立状態で拡げられる。また、図２における二点鎖線と図３（ｂ）に示すように、スクリーン１８は、駆動軸１２の回動に伴う支持バー１９の下降により駆動軸１２に巻き取られる。この実施形態においては、駆動側プーリ１５、従動側プーリ１６、無端ベルト１７及び支持バー１９により展開手段が構成されている。そして、巻軸としての駆動軸１２及び従動軸１３、支持部材としてのフレーム１１、及び前記展開手段により支持手段が構成されている。
【００１４】
前記スクリーン１８は、水を保持可能に形成されている。このために、スクリーン１８は、例えば、水を保持し易いとともに通気性を有するパイル編みのネットや、メッシュ状のシート、図１２（ａ），（ｂ）に示すように、水を溜めるポケット２０が表面に多数形成された通気性シートからなる。また、スクリーン１８は、光触媒等により親水化処理され、水が付着し易くされた布であってもよい。光触媒による親水化処理を行ったスクリーン１８は、藻や黴の発生を抑制する機能を備える。
【００１５】
図２に示すように、フレーム１１の内部には、前記電動モータ１４を運転制御するための制御装置２１が設けられている。制御装置２１は、例えば、予め設定された一定時間が経過する毎に電動モータ１４に装着された図示しないエンコーダが出力する信号に基づいて電動モータ１４を一定回転数だけ正転及び逆転させる自動制御を行う。この自動制御により、スクリーン１８の巻き取り及び巻き出しが一定時間が経過する毎に繰り返し行われる。
【００１６】
さて、上記のように構成された冷房装置１０は、図３（ａ），（ｂ）に示すように、例えば屋外や室内の池や水路等においてフレーム１１の下部と駆動軸１２が水中に沈められ、駆動軸１２に巻き取られた状態のスクリーン１８が池や水路の水に浸されるように設置される。この状態において、制御装置２１の作用により、一定時間が経過する毎に電動モータ１４が回転及び逆転作動され、駆動軸１２の回動に伴い無端ベルト１７を介して支持バー１９が下降及び上昇する。
【００１７】
図３（ａ）に示すようにスクリーン１８が駆動軸１２から巻き出された状態から電動モータ１４が回転されると、駆動軸１２の回動により支持バー１９が下降してスクリーン１８は駆動軸１２に巻き取られる。この状態において、図３（ｂ）に示すように、スクリーン１８は、池や水路中の水に浸され、水の受給状態となる。次いで、図３（ｂ）に示す状態から電動モータ１４が逆転されると、駆動軸１２の回動により支持バー１９が上昇してスクリーン１８は駆動軸１２から巻き出されて展開状態となる。この展開状態において、スクリーン１８は、起立状態で大気中に晒され、スクリーン１８に保持されている水が気化して周囲の空気から気化熱を奪う。このとき、スクリーン１８の全面に水が保持されているので、その全面から水が気化する。この結果、スクリーン１８の周囲の空気が有効に冷房され、この空気によりスクリーン１８の周辺の屋外や室内の空間が冷房される。
【００１８】
なお、スクリーン１８上に商品広告等の表示を印刷等により設ければ、スクリーン１８を拡げた状態においてその広告等を適切に表示することができる。
この実施形態によれば、以下の効果を得ることができる。
【００１９】
（１）水中に配置した駆動軸１２にスクリーン１８を巻き取ることに伴う水中浸漬によりスクリーン１８の全面に水が適切に供給されるようにしたため、広い面積のスクリーン１８であってもその全面に水を有効に保持させることができる。従って、スクリーン１８の全面から有効に水を気化させることができるため、スクリーン１８の全面において空気から有効に気化熱を奪うことができる。ゆえに、屋外や室内の空間に対する冷房能力を向上することができる。このため、室内の冷房負荷を軽減して、省エネルギー化を達成できる。
【００２０】
（２）スクリーン１８を起立状態で支持するようにしたので、スクリーン１８に空気が当たりやすくなる。従って、屋外や室内の空間における冷房能力を発揮させることができる。
【００２１】
（３）駆動軸１２を電動モータ１４により回動させるようにし、電動モータ１４を運転制御する制御装置２１によりスクリーン１８の巻き取り及び巻き出しを自動制御するようにした。従って、スクリーン１８を乾燥状態にすることなく、スクリーン１８の全面に水を保持させた状態を持続させることができる。
【００２２】
（第２実施形態）
次に、この発明を具体化した第２実施形態について、第１実施形態と異なる構成を中心に図４及び図５を用いて説明する。
【００２３】
図４に示すように、冷房装置１０は、第１実施形態と同様に構成されたフレーム１１を備え、このフレーム１１の両側部１１ａの先端部間には、電動モータ１４により回動駆動される巻軸３０が水平方向に延びる状態で回動可能に支持されている。
【００２４】
図４に示すように、巻軸３０には、その下方に拡げられるスクリーン１８が端縁において巻回可能に支持されている。スクリーン１８の巻き出し側の端辺には、スクリーン１８を緊張させるためのバー状ウェイト３１に吊下されている。このバー状ウェイト３１の両端部は、フレーム１１の両側部の内側にそれぞれ設けられたガイドレール３２に係合されている。従って、図５（ａ）に示すように、スクリーン１８は、巻軸３０が回動されることによりバー状ウェイト３１の重さによって巻軸３０から円滑に巻き出され、起立状態に拡げられる。また、図５（ｂ）に示すように、スクリーン１８は、巻軸３０が回動されることにより巻軸３０に巻き取られる。この実施形態においては、バー状ウェイト３１及びガイドレール３２により展開手段が構成されている。
【００２５】
図４及び図５（ａ），（ｂ）に示すように、フレーム１１の両側部１１ａの先端部間には、巻軸３０に巻回されたスクリーン１８に水を供給するための水供給管３３が配設されている。水供給管３３は、巻軸３０に対し、スクリーン１８が巻き出される部分と対面するように配置されている。水供給管３３には、スクリーン１８に対し、その幅方向において水を供給するために多数の水供給孔３４が形成されている。そして、水供給管３３の一側又は両側には、例えば水道ホースＨを接続するための水導入口３５がそれぞれ設けられている。
【００２６】
さて、上記のように構成された冷房装置１０は、例えば屋外の公園や広場あるいは室内に設置され、または、ビルの窓の外側や内側にブラインドを兼用して設置される。制御装置２１の作用により、一定時間が経過する毎に電動モータ１４が回転及び逆転され、巻軸３０の回動に伴ってスクリーン１８の巻き取り及び巻き出しが行われる。
【００２７】
図５（ａ）に示すようにスクリーン１８が巻軸３０から巻き出されている状態から電動モータ１４が回転されて、スクリーン１８が巻軸３０に巻き取られていく。このとき、スクリーン１８は、水供給管３３から水が供給される受給状態となる。この結果、図５（ｂ）に示すように巻軸３０に巻き取られたスクリーン１８は、その全面に水が供給された状態となる。引き続き、図５（ｂ）に示す状態から電動モータ１４が逆転されると、巻軸３０の回動によりスクリーン１８が巻軸３０から巻き出され、スクリーン１８は、ガイドレール３２に案内されたバー状ウェイト３１の重さにより下方に円滑に拡げられる。このとき、スクリーン１８は、水供給管３３から水が再び供給される受給状態となる。この結果、巻軸３０から巻き出されたスクリーン１８は、その全面に水が適切に供給された状態となる。この状態において、スクリーン１８は、起立状態で大気中に晒され、スクリーン１８に保持されている水が気化して周囲の空気から気化熱を奪う。このとき、スクリーン１８の全面に水が適切に保持されているため、その全面から効率良く水が気化する。
【００２８】
この実施形態によれば、前記第１実施形態の（１）〜（３）に記載の効果を得ることができる他に、以下の効果を得ることができる。
（４）スクリーン１８に対し、巻軸３０の軸線方向において水を供給する水供給管３３を設けた。このため、スクリーン１８の全面に水を有効に供給することができる。従って、巻軸３０の軸線と平行な１箇所でスクリーン１８に水を供給するだけの簡単な構成により、スクリーン１８の全面に水を適切に保持させることができる。
【００２９】
（５）この実施形態の冷房装置１０をビルの窓等の外側あるいは内側に設置した場合には、ビルの外側の温度を降下させることができるばかりでなく、スクリーン１８により日光を遮るブラインドとして用いることができ、ビル内の温度上昇を有効に抑制することができる。
【００３０】
（第３実施形態）
次に、この発明を具体化した第３実施形態について、前記第１実施形態と異なる構成を中心に図６及び図７を用いて説明する。
【００３１】
図６に示すように、冷房装置１０は、第１実施形態と同様のフレーム１１を備え、このフレーム１１の両側部１１ａ間には、それぞれ回動駆動される巻軸としての第１駆動軸４０と第２駆動軸４１とが水平方向に延びる状態で支持されている。第１駆動軸４０は、両側部１１ａの先端部間に設けられ、第２駆動軸４１は、フレーム１１の基部１１ｂの近くに設けられている。この実施形態においては、第１駆動軸４０及び第２駆動軸４１により展開手段が構成されている。
【００３２】
フレーム１１の両側部１１ａの一方における外側には、第１駆動軸４０を回動駆動するための第１電動モータ４２と、第２駆動軸４１を回動駆動するための第２電動モータ４３とが設けられ、それぞれの図示しない出力軸は、第１駆動軸４０及び第２駆動軸４１にそれぞれ連結されている。この実施形態においては、第１電動モータ４２及び第２電動モータ４３により動作手段及び駆動手段が構成されている。なお、両電動モータ４２，４３のいずれか一方のみを設けた構成とてもよい。
【００３３】
図６及び図７に示すように、第１駆動軸４０及び第２駆動軸４１には、無端状のスクリーン４４が両駆動軸４０，４１にそれぞれ巻回可能に支持され、起立状態で両駆動軸４０，４１間に拡げられている。そして、スクリーン４４は、両駆動軸４０，４１の回動により両駆動軸４０，４１間を周回移動する。なお、スクリーン４４は、前記実施形態のスクリーン１８と同一の材質である。
【００３４】
フレーム１１の両側部１１ａの先端部間には、スクリーン４４に水を供給するための水供給管３３が配設されている。水供給管３３は、第１駆動軸４０に対してその上方から対面するように配置され、その軸線方向において列設された図示しない水供給孔からスクリーン４４に水を供給する。
【００３５】
図示しない制御装置２１は、前記第１電動モータ４２及び第２電動モータ４３を運転制御する。この制御装置２１は、例えば、予め設定された一定時間が経過する毎に、両電動モータ４２，４３のいずれかに設けられた図示しないエンコーダが出力する信号に基づいて両電動モータ４２，４３を一定回転数だけ回動させる自動制御を行う。
【００３６】
さて、この実施形態の冷房装置１０は、前記第２実施形態と同様に、例えば屋外の公園や広場あるいは室内、または、ビルの窓の外側等に設置される。制御装置２１が起動されると、一定時間が経過する毎に両電動モータ４２，４３が運転され、両駆動軸４０，４１が一定回転数だけ回動する。
【００３７】
両電動モータ４２，４３が運転されると、スクリーン４４が周回方向に移動される。このとき、スクリーン４４の第１駆動軸４０上に位置する部分に対して水供給管３３から水が供給され、スクリーン４４は水の受給状態となる。この結果、スクリーン４４は、その全体に水が有効に供給された状態となる。この状態において、スクリーン４４は、起立状態で空気に晒され、保持されている水が気化して周囲の空気から気化熱を奪う。このとき、スクリーン４４の全体に水が保持されているため、その全面から水が気化する。この結果、スクリーン４４の周囲の空気が冷房され、この空気によりスクリーン４４の周辺の屋外や室内環境が冷房される。
【００３８】
この実施形態によれば、前記第１実施形態の（１）〜（３）に記載の各効果と、第２実施形態の（４），（５）に記載の各効果とを得ることができる。
（第４実施形態）
次に、この発明を具体化した第４実施形態について、前記第３実施形態と異なる構成を中心に図８及び図９を用いて説明する。
【００３９】
巻軸としてのスクリーン１８が第１駆動軸４０及び第２駆動軸４１にそれぞれ巻回され、このため、起立状態で支持されている。すなわち、この実施形態のスクリーン１８は、第３実施形態のスクリーン４４とは異なり無端状ではない。スクリーン１８は、両駆動軸４０，４１の回動により巻回方向に移動し、図９（ａ）に示すように第１駆動軸４０に巻き取られた状態か、図９（ｂ）に示すように第２駆動軸４１に巻き取られた状態となる。
【００４０】
フレーム１１の両側部１１ａの先端部間には、第１駆動軸４０に巻回されたスクリーン１８に水を供給するための第１水供給管５０が設けられている。第１水供給管５０は、その巻軸線方向に列設された図示しない水供給孔からスクリーン１８に水を供給する。また、フレーム１１の両側部１１ａの基端部間には、第２駆動軸４１に巻回されたスクリーン１８に水を供給するための第２水供給管５１が設けられている。第２水供給管５１は、その軸線方向に列設された図示しない水供給孔からスクリーン１８に水を供給する。この実施形態においては、両水供給管５０，５１が水供給手段を構成する。なお、水供給管５０，５１はそれらのうちのいずれか一方のみを設けた構成としてもよい。
【００４１】
この実施形態の制御装置２１は、例えば、予め設定された一定時間が経過する毎に、両電動モータ４２，４３のいずれか装着されたエンコーダが出力する信号に基づいて両電動モータ４２，４３を交互に一定回転数だけ回転させる自動制御を行う。なお、両電動モータ４２，４３の一方が運転されるとき、他方は空転される。このため、スクリーン１８の巻き取り及び巻き出しが両駆動軸４０，４１間で交互に行われる。この結果、第１駆動軸４０と第２駆動軸４１との間に起立状態で拡げられたスクリーン１８は、その全体に水が有効に供給された状態となる。
【００４２】
この実施形態によれば、前記第１実施形態の（１）〜（３）に記載の各効果と、第２実施形態の（４），（５）に記載の効果とを得ることができる。
（第５実施形態）
次に、この発明を具体化した第５実施形態について、図１０及び図１１を用いて説明する。
【００４３】
図１０に示すように、冷房装置１０は、外部から水が供給される水供給手段及び貯水部としての貯水槽６０を備えている。貯水槽６０の内部底面上には、動作手段としての一対のリニアアクチュエータ６３が設置され、そのリニアアクチュエータ６３のロッド６３ａには、それぞれ支持手段としてのレイジートング６２の下端の中央交差軸が接合されている。左右の各レイジートング６２の下から２番目の中央交差軸は、１本の下端支持ロッド６１により構成されている。この下端支持ロッド６１は、その両側において図示しない固定部に移動不能に固定されている。従って、各レイジートング６２は、リニアアクチュエータ６３のロッド６３ａの延出動作により上方へ延出し、また、ロッド６３ａの没入動作により下方へ畳まれる。各レイジートング６２の上端間は、１本の上側支持ロッド６４により連結されている。そして、下端支持ロッド６１と上側支持ロッド６４との間には、スクリーン１８が介在されている。両リニアアクチュエータ６３は、制御装置２１により、例えば、一定時間が経過する毎に、ロッド６３ａを突出又は没入させるように自動制御される。
【００４４】
なお、上側支持ロッド６４に引張つるまきバネの先端を連結し、リニアアクチュエータ６３のロッド６３ａの動作に加えて、前記引張つるまきバネの引張力により各レイジートング６２を下方へ折り畳むようにしてもよい。
【００４５】
そして、図１０に示すように、両リニアアクチュエータ６３が作動されて、両ロッド６３ａが没入状態のときには、レイジートング６２の下端が下方へ引かれてレイジートング６２が上方へ延出される。このため、上側支持ロッド６４が高い位置に配置され、スクリーン１８が起立状態で展開されている。この状態においては、スクリーンが貯水槽６０の水位より上方に位置する。
【００４６】
図１０に示す状態から両リニアアクチュエータ６３が作動されると、図１１に示すように、ロッド６３ａが突出され、このためレイジートング６２の下端の中央交差軸が上方へ押されてスクリーン１８が畳まれる。この結果、スクリーン１８は、貯水槽６０内の水に浸され、その全面に水が供給される受給状態となる。
【００４７】
さて、制御装置２１の作用により、一定時間が経過する毎に両リニアアクチュエータ６３が作動され、両ロッド６３ａの突出又は没入に伴ってスクリーン１８の展開または折り畳みが繰り返し行われる。なお、貯水槽６０中の水の水位は、図示しない水位センサにより検出され、この検出に基づいて制御装置２１により図示しない電磁弁が制御されることにより、適正な水位高さに維持される。このため、スクリーン１８には、その全面にわたって十分な水が供給され、スクリーン１８が展開した起立状態でその水が気化されて冷房に寄与する。なお、図１１においては、理解を容易にするため、レイジートング６２の折り畳み中途状態を示したが、ロッド６３ａの突出状態においては、レイジートング６２の各リンクが重なり合って、折り畳まれたスクリーン１８の全高が低くなり、スクリーン１８はその全体が貯水槽６０や水路の中に没する。
【００４８】
この実施形態によれば、前記第１実施形態の（１）〜（３）に記載の各効果と、第２実施形態の（４）に記載の効果の他に、以下の効果を得ることができる。
（６）スクリーン１８を水中からせり出すように起立させることができる。このため、スクリーン１８に広告等の表示を設けた場合には、歩行者等の意表をついた効果的な印象を与えることができる。
【００４９】
（その他の実施形態）
なお、この実施形態は、次のように変更して具体化することも可能である。
・  図１〜図３に示す第１実施形態において、制御装置２１による電動モータ１４の自動制御に代えて、駆動軸１２を回動させるハンドル等の機構からなる手動機構（動作手段及び駆動手段）によりスクリーン１８を移動させること。また、このような構成を、第２〜第５実施形態において採用すること。
【００５０】
・第１実施形態において、冷房装置１０を、図３に二点鎖線で示すように、外部から水が補給される水供給手段としての貯水槽６０内に設置すること。
・  図４及び図５に示す第２実施形態において、巻軸３０の内部からその外周面に水を噴出させることによりスクリーン１８に水を供給する構成とすること。また、このような構成を第３及び第４実施形態において採用すること。
【００５１】
・  図６及び図７に示す第３実施形態において、両電動モータ４２，４３を遅い速度で常時回転させる構成とすること。
・  図６及び図７に示す第４実施形態において、第３実施形態の水供給手段を、図６に二点鎖線で示すように、外部から補給される水が貯留された貯水槽６０とし、その貯水槽６０に駆動軸４１を水没させること。また、このような構成を図８に２点鎖線で示すように図８及び図９（ａ）（ｂ）に示す第４実施形態において採用すること。
【００５２】
・  第３実施形態において、スクリーン１８を、３つ又は４つの軸により周回支持し、その軸の少なくとも１つを回動させてスクリーン１８が各軸間を周回させる構成とすること。
【００５３】
・  第１実施形態において、スクリーン１８を支持する支持バー１９を、上方にロッドを延出するように配置された一対の電動シリンダにより上下動させる構成とすること。この場合には、フレーム１１の両側部１１ａが不要となるので、スクリーン１８が展開されていない状態において冷房装置１０を池や水路の水中に沈めた状態とすることができる。
【００５４】
・  第２実施形態において、水供給管３３の水導入口３５の部分に、制御装置２１により開閉制御される電磁弁を設け、スクリーン１８の全体に水が供給された時点で電磁弁を閉じて水の供給を停止する構成とすること。また、このような構成を第３、第４実施形態において採用すること。
【００５５】
・  図８及び図９に示す第４実施形態において、第２駆動軸４１へのスクリーン１８の巻き取りを、第２電動モータ４３に代えて、つるまきバネ等のバネによって行うこと。
（その他の技術的思想）
以下、前記各実施形態から把握される技術的思想を記載する。
【００５６】
（１）前記支持手段は、無端状のスクリーンを周回支持する複数の軸と、少なくとも１本の軸を回動させてスクリーンが各軸間を周回するようにした駆動手段とを有する請求項１に記載の冷房装置。
【００５７】
（２）前記水供給手段は、前記巻軸上のスクリーンを浸漬させる貯水部である請求項３に記載の冷房装置。この貯水部は、一定の容量を備えた貯水槽と、ほぼ一定の水位で水が流れる水路の一部を含む。
【００５８】
（３）前記水供給手段は、巻軸上のスクリーンに対して水を供給する水供給孔を備えたものである請求項３に記載の冷房装置。
（４）請求項１〜３、前記技術的思想（１）〜（３）項のいずれか一項に記載の冷房装置において、前記動作手段は電動機器（電動モータ４４、第１電動モータ４２、第２電動モータ４３、リニアアクチュエータ６３）を動力源として含むとともに、前記電動機器を自動制御する制御装置（２１）を備えたことを特徴とする冷房装置。
【００５９】
（５）請求項１〜３、前記技術的思想（１）〜（３）項のいずれか一項に記載の冷房装置において、前記支持手段は、前記スクリーンを起立状態で支持することを特徴とする冷房装置。
【００６０】
（６）請求項１に記載の冷房装置において、前記支持手段は、前記スクリーンを展開及び折り畳み可能に支持するレイジートング（６２）を備え、前記動作手段（リニアアクチュエータ６３）は、同レイジートングを突出及び折り畳み動作させることを特徴とする冷却装置。
【００６１】
（７）技術的思想（６）項に記載の冷房装置において、前記レイジートングが折り畳まれた状態において、前記スクリーンを水に浸漬する貯水部を備えたことを特徴とする冷房装置。
【図面の簡単な説明】
【００６２】
【図１】第１実施形態の冷房装置を示す斜視図。
【図２】冷房装置の一部を示す正面図。
【図３】（ａ），（ｂ）は共に冷房装置を示す縦断面図。
【図４】第２実施形態の冷房装置を示す斜視図。
【図５】（ａ），（ｂ）は共に冷房装置を示す縦断面図。
【図６】第３実施形態の冷房装置を示す斜視図。
【図７】冷房装置を示す縦断面図。
【図８】第４実施形態の冷房装置を示す斜視図。
【図９】（ａ），（ｂ）は共に冷房装置を示す縦断面図。
【図１０】第５実施形態の冷房装置を示す斜視図。
【図１１】同じく冷房装置を示す斜視図。
【図１２】（ａ）はスクリーンの一部を示す斜視図、（ｂ）は同スクリーンの一部を示す縦断面図。
【符号の説明】
【００６３】
１０…冷房装置、１１…支持手段を構成する支持部材としてのフレーム、１２…支持手段を構成する巻軸としての駆動軸、１３…従動軸、１４…動作手段、駆動手段及び電動機器としての電動モータ、１５…支持手段、展開手段を構成する駆動側プーリ、１６…同じく従動側プーリ、１７…同じく無端ベルト、１８…スクリーン、１９…支持手段、展開手段を構成する支持バー、２１…制御装置、３０…支持手段を構成する巻軸、３１…支持手段、展開手段を構成するバー状ウェイト、３２…同じくガイドレール、３３…水供給手段としての水供給管、３４…水供給孔、４０…支持手段、展開手段を構成する巻軸としての第１駆動軸、４１…同じく第２駆動軸、４２…支持手段、駆動手段及び電動機器を構成する第１電動モータ、４３…同じく第２電動モータ、４４…スクリーン、５０…水供給手段を構成する第１水供給管、５１…同じく第２水供給管、６０…水供給手段及び貯水部としての貯水槽、６２…支持手段としてのレイジートング。
【図１】
2010065853.tif 000003
【図２】
2010065853.tif 000004
【図３】
2010065853.tif 000005
【図４】
2010065853.tif 000006
【図５】
2010065853.tif 000007
【図６】
2010065853.tif 000008
【図７】
2010065853.tif 000009
【図８】
2010065853.tif 000010
【図９】
2010065853.tif 000011
【図１０】
2010065853.tif 000012
【図１１】
2010065853.tif 000013
【図１２】
2010065853.tif 000014